(57)【要約】【課題】筒内直噴内燃機関において内燃機関の出力不足を抑制しつつ噴射燃料と吸気弁との干渉に起因する排気性能の悪化を抑制する。【解決手段】筒内に直接燃料を噴射する燃料噴射弁と、２つの吸気弁と、吸気弁のリフト特性を変更可能な可変動弁機構と、内燃機関の冷機時に内燃機関の要求負荷が所定の基準より高負荷となった場合、片方の吸気弁のみ低リフト特性に設定した倍に要求負荷に対して不足しない吸入空気量を確保可能な低リフト特性を算出し、当該低リフト特性に設定される吸気弁の開弁期間後期における時期であって、当該吸気弁のリフト量が、吸気弁と噴射燃料とが干渉しないリフト量となる時期を算出し、片方の吸気弁を当該低リフト特性に設定すべく可変動弁機構を制御し、前記算出した時期以降において燃料噴射を開始するように前記燃料噴射弁を制御する。【選択図】図３
2010180724.tif 000002
【特許請求の範囲】
【請求項１】
内燃機関の気筒内に燃料を直接噴射する燃料噴射弁と、
前記気筒に備えられた２つの吸気弁と、
前記２つの吸気弁のうち少なくとも一方の吸気弁のリフト特性を変更可能な可変動弁機構と、
前記内燃機関の冷機時に、前記２つの吸気弁のうち少なくとも一方の吸気弁のリフト特性を、暖機時よりもリフト量の低い低リフト特性に設定するように、前記可変動弁機構を制御する制御手段と、
を備え、
前記制御手段は、前記内燃機関の冷機時に前記内燃機関が要求負荷が所定の基準より高負荷となった場合、
前記２つの吸気弁のうち一方の吸気弁のリフト特性を低リフト特性としたときの前記内燃機関の吸入空気量が、当該要求負荷に対して不足しない吸入空気量となるように前記低リフト特性を算出し、
当該算出した低リフト特性に従って開弁される吸気弁の開弁期間後期における時期であって、当該吸気弁のリフト量が、前記燃料噴射弁から噴射される燃料が当該吸気弁に衝突しないリフト量となる時期を算出し、
前記２つの吸気弁のうち一方の吸気弁のリフト特性を前記算出した低リフト特性に設定するように前記可変動弁機構を制御し、
前記算出した時期以降において燃料噴射を開始するように前記燃料噴射弁を制御することを特徴とする筒内直噴内燃機関の制御装置。
【請求項２】
内燃機関の気筒内にアルコール含有燃料を直接噴射する燃料噴射弁と、
前記気筒に備えられた２つの吸気弁と、
前記２つの吸気弁のうち少なくとも一方の吸気弁のリフト特性を変更可能な可変動弁機構と、
前記内燃機関の冷機時に、前記２つの吸気弁のうち少なくとも一方の吸気弁のリフト特性を、暖機時よりもリフト量の低い低リフト特性に設定するように、前記可変動弁機構を制御する制御手段と、
アルコール含有燃料のアルコール濃度を取得するアルコール濃度取得手段と、
を備え、
前記制御手段は、前記内燃機関の冷機時に前記アルコール濃度取得手段によって取得されるアルコール濃度が所定の基準より高濃度である場合、
前記燃料噴射弁からの燃料噴射が所定の噴射終了限界時期までに終了するように燃料噴射開始時期を算出し、
前記算出した燃料噴射開始時期以降におけるリフト量が、前記燃料噴射弁から噴射される燃料が前記吸気弁に衝突しないリフト量となるリフト特性として前記低リフト特性を算出し、
前記２つの吸気弁のうち一方の吸気弁のリフト特性を前記算出した低リフト特性に設定するように前記可変動弁機構を制御し、
前記算出された燃料噴射開始時期において燃料噴射を開始するように前記燃料噴射弁を制御する
ことを特徴とする筒内直噴内燃機関の制御装置。
【発明の詳細な説明】
【技術分野】
【０００１】
本発明は、筒内直噴内燃機関の制御装置に関する。
【背景技術】
【０００２】
気筒内に直接燃料を噴射供給する内燃機関では、吸気行程において燃料噴射を行う場合に、開弁中の吸気弁に噴射燃料が衝突してその一部が吸気弁に付着することがある。吸気弁の温度が低い冷機状態では、吸気弁に付着した燃料が良好に蒸発せず、排気中のＰＭや未燃燃料成分の量を増大させる原因となる可能性がある。この対策として、例えば以下のような技術が提案されている。
【０００３】
特許文献１には、吸気行程において燃料噴射を行う場合に、吸気弁のリフト量を低くすることが記載されている。
【０００４】
特許文献２には、吸気行程において燃料噴射を行う場合に、２つの吸気弁のうち片方の吸気弁の開弁動作を停止させることが記載されている。
【０００５】
特許文献３には、吸気行程において燃料噴射を行う場合に、吸気弁の開弁期間の前記及び後期の少なくとも一方の期間内に燃料噴射を行うことが記載されている。
【０００６】
燃料としてアルコール含有燃料を使用する内燃機関では、アルコール含有燃料がガソリンに比べて気化しにくいために、始動性が良くないという問題がある。この対策として例えば以下のような技術が提案されている。
【０００７】
特許文献４には、アルコール含有燃料を使用する内燃機関の始動時に、燃料のアルコール濃度が所定値以上の場合には、燃料噴射を停止するとともに所定期間吸気弁又は排気弁のリフト量を最小とすることが記載されている。
【０００８】
特許文献５には、アルコール含有燃料を使用する内燃機関の始動時に、燃料のアルコール濃度が高いほど、吸気弁のリフト量を低くすることが記載されている。
【０００９】
２つの吸気弁を備えた内燃機関に関連する技術として、例えば以下のような技術が提案されている。
【００１０】
特許文献６には、高回転運転領域では２つの吸気弁を両方とも開弁動作させ、低回転運転領域では２つの吸気弁のうち片方の開弁動作を休止させる内燃機関において、冷機状態においては両方の吸気弁を開弁動作させる運転領域を拡大することが記載されている。
【先行技術文献】
【特許文献】
【００１１】
【特許文献１】特開２００４−２１８６０３号公報
【特許文献２】特開２００４−２５７３５２号公報
【特許文献３】特開２００７−１７７７４０号公報
【特許文献４】特開２００８−２１５１４３号公報
【特許文献５】特開２００７−３１５３５５号公報
【特許文献６】特開平７−０９７９３８号公報
【発明の概要】
【発明が解決しようとする課題】
【００１２】
上記の技術のように、吸気弁のリフト量を低くしたり、２つの吸気弁のうち片方の開弁動作を停止させたりすると、吸入空気量が制限されることになるので、要求負荷が高くなった場合に内燃機関の出力が不足する可能性がある。
【００１３】
また、アルコール含有燃料を使用する内燃機関では、通常の燃料を使用する内燃機関よりも長い燃料噴射期間を確保する必要があるので、燃料噴射期間が吸気弁の開弁期間と重なり易い。そのため、上記の技術によっては、筒内噴射燃料と開弁中の吸気弁との干渉を好適に回避することが難しい場合がある。
【００１４】
本発明はこれらの問題に鑑みてなされたものであり、筒内直噴内燃機関において、内燃機関の出力が不足することを抑制しつつ、筒内噴射燃料と開弁中の吸気弁との干渉に起因する排気性能の悪化を抑制することを目的とする。また、アルコール含有燃料を使用する筒内直噴内燃機関において、筒内直噴燃料と開弁中の吸気弁との干渉に起因する排気性能の悪化を抑制することを目的とする。
【課題を解決するための手段】
【００１５】
上記目的を達成するための本発明の筒内直噴内燃機関の制御装置は、
内燃機関の気筒内に燃料を直接噴射する燃料噴射弁と、
前記気筒に備えられた２つ吸気弁と、
前記２つの吸気弁のうち少なくとも一方の吸気弁のリフト特性を変更可能な可変動弁機構と、
前記内燃機関の冷機時に、前記２つの吸気弁のうち少なくとも一方の吸気弁のリフト特性を、暖機時よりもリフト量の低い低リフト特性に設定するように、前記可変動弁機構を制御する制御手段と、
を備え、
前記制御手段は、前記内燃機関の冷機時に前記内燃機関が要求負荷が所定の基準より高負荷となった場合、
前記２つの吸気弁のうち一方の吸気弁のリフト特性を低リフト特性としたときの前記内燃機関の吸入空気量が、当該要求負荷に対して不足しない吸入空気量となるように前記低リフト特性を算出し、
当該算出した低リフト特性に従って開弁される吸気弁の開弁期間後期における時期であって、当該吸気弁のリフト量が、前記燃料噴射弁から噴射される燃料が当該吸気弁に衝突しないリフト量となる時期を算出し、
前記２つの吸気弁のうち一方の吸気弁のリフト特性を前記算出した低リフト特性に設定するように前記可変動弁機構を制御し、
前記算出した時期以降において燃料噴射を開始するように前記燃料噴射弁を制御することを特徴とする。
【００１６】
上記の本発明の構成において、内燃機関の冷機時とは、燃料噴射弁から噴射された燃料が開弁中の吸気弁に衝突して付着した場合に、当該付着した燃料が良好に蒸発しにくく、従って排気性能を悪化させる原因となる可能性があるような温度状態を指す。暖機時とは、冷機時よりも高温の温度状態、すなわち、噴射燃料が吸気弁に衝突して付着したとしても、当該付着した燃料は良好に蒸発するので、排気性能を悪化させる原因となりにくいような温度状態を指す。
【００１７】
また、要求負荷に関する「所定の基準」とは、２つの吸気弁のうち両方の吸気弁のリフト特性を低リフト特性に設定した場合に、十分な吸入空気量を確保することが可能か否かを判断するための要求負荷の基準値である。要求負荷が当該基準より高負荷である場合、２つの吸気弁を両方とも低リフト特性にすると十分な吸入空気量を確保することが困難と
判断することができる。
【００１８】
本発明によれば、内燃機関の冷機時に要求負荷が基準より高負荷である場合には、２つの吸気弁のうちの片方が低リフト特性に設定される。そして、この低リフト特性は、２つの吸気弁のうちの片方を低リフト特性に設定した場合であっても、要求負荷に対して不足しない吸入空気量を確保することが可能なように算出される。２つの吸気弁のうち他方は通常のリフト特性に設定されるので、要求負荷に対して不足しない吸入空気量を好適に確保することができる。
【００１９】
更に、このようにして算出した低リフト特性に基づいて、この低リフト特性に設定される吸気弁に噴射燃料が衝突しないリフト量となる開弁期間後期における時期を算出し、この算出した時期以降に燃料噴射開始時期を設定する。ここで、「開弁期間後期」とは、吸気弁が開弁開始してから閉弁するまでの開弁期間のうち、リフト量がピークになって以降の、閉弁に向かってリフト量が減少していく期間を指す。これにより、低リフト特性に設定される吸気弁に燃料噴射弁から噴射される燃料が衝突することを回避することができる。従って、内燃機関の冷機時においても、噴射燃料が開弁中の吸気弁に衝突することに起因する排気性能の悪化を抑制することが可能となる。
【００２０】
本発明によれば、２つの吸気弁のうち片方の吸気弁が低リフト特性に設定されるとともに、当該低リフト特性に設定された吸気弁に噴射燃料が衝突しなくなる時期以降に燃料噴射が開始されるので、当該低リフト特性に設定される吸気弁と燃料噴射との干渉が回避される。従って、内燃機関の冷機時においても、噴射燃料が吸気弁に衝突することに起因する排気性能の悪化を好適に抑制することが可能となる。また、２つの吸気弁のうち一方は通常のリフト特性に設定されるとともに、片方のみを低リフト特性に設定した場合に要求負荷に対して不足しない吸入空気量を確保することができるような低リフト特性を算出するので、高負荷条件下においても内燃機関の出力が要求負荷に対して不足することを抑制することも可能となる。
【００２１】
なお、燃料噴射開始時期は、低リフト特性に設定される吸気弁に噴射燃料が衝突しないリフト量となる開弁期間後期の時期であれば、任意の時期に設定することができる。
【００２２】
なお、内燃機関の冷機時に要求負荷が基準より高負荷ではない場合には、２つの吸気弁の両方を低リフト特性に設定することにより、噴射燃料と開弁中の吸気弁との干渉をより確実に回避させるようにしてもよい。
【００２３】
アルコール含有燃料を使用する筒内直噴内燃機関において、筒内直噴燃料と開弁中の吸気弁との干渉に起因する排気性能の悪化を抑制するために、本発明は、
内燃機関の気筒内にアルコール含有燃料を直接噴射する燃料噴射弁と、
前記気筒に備えられた２つの吸気弁と、
前記２つの吸気弁のうち少なくとも一方の吸気弁のリフト特性を変更可能な可変動弁機構と、
前記内燃機関の冷機時に、前記２つの吸気弁のうち少なくとも一方の吸気弁のリフト特性を、暖機時よりもリフト量の低い低リフト特性に設定するように、前記可変動弁機構を制御する制御手段と、
アルコール含有燃料のアルコール濃度を取得するアルコール濃度取得手段と、
を備え、
前記制御手段は、前記内燃機関の冷機時に前記アルコール濃度取得手段によって取得されるアルコール濃度が所定の基準より高濃度である場合、
前記燃料噴射弁からの燃料噴射が所定の噴射終了限界時期までに終了するように燃料噴射開始時期を算出し、
前記算出した燃料噴射開始時期以降におけるリフト量が、前記燃料噴射弁から噴射される燃料が前記吸気弁に衝突しないリフト量となるリフト特性として前記低リフト特性を算出し、
前記２つの吸気弁のうち一方の吸気弁のリフト特性を前記算出した低リフト特性に設定するように前記可変動弁機構を制御し、
前記算出された燃料噴射開始時期において燃料噴射を開始するように前記燃料噴射弁を制御することを特徴とする。
【００２４】
この第２の発明の構成において、内燃機関の冷機時及び暖機時は、上述した第１の発明における「燃料」を「アルコール含有燃料」に読み替えて定義することができる。すなわち、内燃機関の冷機時とは、燃料噴射弁から噴射されたアルコール含有燃料が開弁中の吸気弁に衝突して付着した場合に、当該付着したアルコール含有燃料が良好に蒸発しにくく、従って排気性能を悪化させる原因となる可能性があるような温度状態を指す。暖機時とは、冷機時よりも高温の温度状態、すなわち、噴射燃料が吸気弁に衝突して付着したとしても、当該付着したアルコール含有燃料は良好に蒸発するので、排気性能を悪化させる原因となりにくいような温度状態を指す。
【００２５】
アルコール含有燃料は通常の燃料と比較して理論空燃比が小さいことと、冷機時に気化しにくいため、通常の燃料を使用する内燃機関よりも長い燃料噴射期間を確保する必要がある。燃料噴射期間が長くなることにより燃料噴射終了時期が過剰に遅い時期になると、排気性能が悪化する原因となる。上記第２の発明における「噴射終了限界時期」とは、排気性能の悪化をもたらさないような燃料噴射終了時期の限界値であり、予め定めることができる。本第２の発明においては、燃料噴射終了時期がこの噴射終了限界時期よりも遅くならないように燃料噴射を行うことを前提とする。
【００２６】
アルコール含有燃料のアルコール濃度が高いほど、要求される燃料噴射期間は長くなる。そのため、アルコール含有燃料のアルコール濃度によっては、要求される燃料噴射期間が、上述した第１の発明に従って算出した燃料噴射開始時期（すなわち、２つの吸気弁のうち片方を低リフト特性に設定した場合に、要求負荷に対して不足しない吸入空気量を確保することができるように算出された低リフト特性において、開弁期間後期に燃料噴射と吸気弁とが干渉しないリフト量となる時期）において燃料噴射を開始した場合に噴射終了限界時期までに燃料噴射を終了させることができないほどの長さになることがあり得る。
【００２７】
本第２の発明の構成のアルコール濃度に関する「所定の基準」とは、上述した第１の発明に従って算出した燃料噴射開始時期において燃料噴射を開始した場合に、噴射終了限界時期までに燃料噴射を終了させることが可能か否かを判断するためのアルコール濃度の基準値である。アルコール濃度が当該基準より高い場合、第１の発明に従って算出した燃料噴射開始時期において燃料噴射を開始すると噴射終了限界時期までに燃料噴射を終了させることが困難と判断することができる。
【００２８】
このような場合、本第２の発明では、要求される燃料噴射期間に基づいて、噴射終了限界時期までに燃料噴射が終了するような燃料噴射開始時期を算出し、当該算出した燃料噴射開始時期においてアルコール含有燃料の噴射を開始する。
【００２９】
これにより、燃料噴射終了時期が噴射終了限界時期を超えて遅くなることを抑制できるので、燃料噴射の終了時期が遅れることに起因する排気性能の悪化を抑制することが可能となる。
【００３０】
本第２の発明も、上述した第１の発明と同様、２つの吸気弁のうち片方の吸気弁のリフト特性を低リフト特性に設定することにより噴射燃料と吸気弁との干渉を抑制することを
旨とするが、本第２の発明では、この低リフト特性を、上記のように算出した燃料噴射開始時期に基づいて算出する。
【００３１】
具体的には、上記のように算出した燃料噴射開始時期以降における、低リフト特性に設定される吸気弁のリフト量が、当該吸気弁と噴射燃料とが干渉しないリフト量となるようなリフト特性を算出し、これを低リフト特性として片方の吸気弁に設定する。言い換えると、上記のように算出した燃料噴射開始時期におけるリフト量が、吸気弁と噴射燃料とが干渉しないリフト量の上限値以下であるようなリフト特性を算出し、これを低リフト特性として片方の吸気弁に設定する。
【００３２】
これにより、低リフト特性に設定された吸気弁と燃料噴射弁から噴射される燃料が衝突することを回避することができる。従って、内燃機関の冷機条件下においても、噴射燃料が吸気弁に衝突することに起因して排気性能が悪化することを抑制することが可能となる。
【００３３】
本第２の発明によれば、アルコール含有燃料を使用する内燃機関において燃料噴射終了時期が過剰に遅くなることに起因する排気性能の悪化を抑制しつつ、筒内噴射燃料と開弁中の吸気弁との干渉に起因して排気性能が悪化することを抑制することが可能となる。
【００３４】
なお、アルコール含有燃料を使用する内燃機関においても、アルコール濃度が基準以下であって、第１の発明のように要求負荷に対して十分な吸入空気量を確保できるように算出された低リフト特性に基づいて燃料噴射開始時期を設定しても、燃料噴射終了時期が噴射終了限界時期を超えないと判断できる場合には、第１の発明に従って算出した低リフト特性を片方の吸気弁に設定するようにしても良い。
【００３５】
以上説明したように、第１の発明及び第２の発明のいずれにおいても、低リフト特性に設定される吸気弁に燃料噴射弁から噴射される燃料が衝突することが回避されるので、内燃機関の冷機条件下においても、噴射燃料が吸気弁に衝突することによる排気性能の悪化を好適に抑制することが可能となる。
【００３６】
また、第１の発明においては、要求負荷が高い場合においても、要求負荷に対して十分な吸入空気量を確保することが可能となるので、内燃機関が出力不足となることも抑制できる。
【００３７】
また、第２の発明においては、アルコール濃度が高い場合においても、燃料噴射終了時期が過剰に遅くなることが回避されるので、燃料噴射終了時期が遅くなることに起因する排気性能の悪化も抑制することができる。
【００３８】
なお、第２の発明においては、アルコールが気筒内で蒸発する際の潜熱の効果により吸入空気量を補うことができるので、吸入空気量が不足することによる内燃機関の出力不足は抑制される。
【発明の効果】
【００３９】
本発明により、筒内直噴内燃機関において、内燃機関が出力不足となることを抑制しつつ、筒内噴射燃料と開弁中の吸気弁との干渉に起因する排気性能の悪化を抑制することができる。また、アルコール含有燃料を使用する筒内直噴内燃機関において、筒内噴射燃料と開弁中の吸気弁との干渉に起因する排気性能の悪化を抑制することができる。
【図面の簡単な説明】
【００４０】
【図１】実施例１に係る内燃機関の概略構成を模式的に示す図である。
【図２】実施例１及び２に係る内燃機関の吸気弁のリフト特性を示す図である。
【図３】実施例１に係る燃料噴射制御及び可変動弁制御の処理内容を表すフローチャートである。
【図４】実施例１に係る吸気弁のリフト特性及び燃料噴射開始時期の算出方法を説明するための図である。
【図５】実施例２に係る内燃機関の概略構成を模式的に示す図である。
【図６】ガソリンエンジンの燃料噴射期間とエタノール含有燃料を使用するエンジンの燃料噴射期間とを比較するための図である。
【図７】実施例２に係る燃料噴射制御及び可変動弁制御の処理内容を表すフローチャートである。
【図８】実施例２に係る吸気弁のリフト特性及び燃料噴射開始時期の算出方法を説明するための図である。
【発明を実施するための形態】
【００４１】
以下に図面を参照して、この発明を実施するための形態を例示的に詳しく説明する。本実施例に記載されている構成部品の寸法、材質、形状、その相対配置等は、特に記載がない限りは、発明の技術的範囲をそれらのみに限定する趣旨のものではない。
【実施例１】
【００４２】
図１は、本実施例に係る内燃機関の概略構成を模式的に示す図である。
【００４３】
図１に示す内燃機関１は、４つの気筒２を備えた筒内直噴火花点火式ガソリンエンジンである。気筒２にはピストン３が摺動自在に挿入されている。気筒２の上部とピストン３の頂部との間に燃焼室１２が形成される。気筒２には燃焼室１２と図示しない吸気通路とを連通させる吸気ポート４が接続されている。吸気ポート４には、吸気ポート４を介して燃焼室１２内に吸入される空気の温度を測定する吸気温センサ１３が備えられている。気筒２には燃焼室１２と図示しない排気通路とを連通させる排気ポート５が接続されている。気筒２における吸気ポート４の接続箇所近傍には、気筒２の内部に燃料を直接噴射供給する燃料噴射弁６が備えられている。符号１１は燃料噴射弁６から燃焼室１２内に噴射される燃料を示す。気筒２の頂部には、燃料噴射弁６から噴射された燃料と吸気ポート４から燃焼室１２内に吸入される空気とにより形成される混合気に点火するための点火プラグ７が備えられている。
【００４４】
内燃機関１には、吸気ポート４を開閉する２つの吸気弁８Ａ、８Ｂが備えられている。なお、排気ポート５を開閉する排気弁も備えられているが、図面の煩雑さを避けるために図１には図示していない。内燃機関１には、吸気弁８Ａ、８Ｂのリフト特性を可変とする可変動弁機構９が備えられている。
【００４５】
内燃機関１には、上述した燃料噴射弁６、点火プラグ７及び可変動弁機構９の動作を制御することにより内燃機関１の運転を制御する処理ユニットであるＥＣＵ１０が併設されている。ＥＣＵ１０による燃料噴射弁６、点火プラグ７及び可変動弁機構９への動作指令信号は、ＥＣＵ１０とこれらの各種機器とを接続する電気配線を介して伝達される。また、ＥＣＵ１０は、ＥＣＵ１０と吸気温センサ１３とを接続する電気配線を介して、吸気温センサ１３による測定データを取得する。
【００４６】
内燃機関１は吸気行程において燃料噴射弁６から燃料噴射を行うことにより、燃焼室１２内に可燃混合気を形成する。従って、吸気弁８Ａ、８Ｂが開弁している期間と、燃料噴射弁６から燃料噴射が行われる期間と、の間に重複が生じることがある。そのため、燃料噴射弁６から燃料噴射が行われる時の吸気弁８Ａ、８Ｂのリフト量によっては、燃料噴射弁６から噴射される燃料１１と吸気弁８Ａ、８Ｂとが干渉し、噴射燃料の一部が吸気弁８
Ａ、８Ｂに衝突する場合がある。
【００４７】
燃料噴射弁６からの噴射燃料１１が吸気弁８Ａ、８Ｂに衝突すると、噴射燃料の一部は吸気弁８Ａ、８Ｂに付着する。吸気弁８Ａ、８Ｂの温度が低い冷機条件下では、吸気弁８Ａ、８Ｂに付着した燃料が良好に蒸発しにくいので、燃料噴射弁６からの噴射燃料１１と吸気弁８Ａ、８Ｂとが干渉した場合には、排気中の未燃燃料成分やＰＭの量が増加する原因となる虞がある。
【００４８】
そこで、本実施例の内燃機関１では、内燃機関１の冷機時には、可変動弁機構９により吸気弁８Ｂのリフト特性をリフト量の低い低リフト特性に設定するようにした。図２は、可変動弁機構９により吸気弁８Ｂのリフト特性を低リフト特性に設定した場合の、吸気弁８Ａ、８Ｂのリフト特性を示す図である。図２の横軸はクランク角度を表し、縦軸は吸気弁８Ａ、８Ｂのリフト量を表す。図２のグラフＡは吸気弁８Ａのリフト特性を表し、グラフＢは吸気弁８Ｂのリフト特性を表す。可変動弁機構９により、吸気弁８Ｂのリフト特性は、図２のグラフＡで示されるような通常のリフト特性の他、当該通常のリフト特性よりもリフト量が低い種々の低リフト特性に設定することが可能である。グラフＢは、吸気弁８Ｂに設定可能な低リフト特性の一例を示したものである。
【００４９】
このように吸気弁８Ｂを低リフト特性に設定することにより、燃料噴射弁６からの燃料噴射が行われる期間と吸気弁８Ａ、８Ｂが開弁される期間とが重複する場合においても、図１に示すように、少なくとも吸気弁８Ｂに燃料噴射弁６からの噴射燃料１１が衝突することを抑制できる。これにより、吸気弁に付着する燃料量を低減することができるので、冷機条件下においても排気性能が悪化することを好適に抑制可能となる。また、このとき吸気弁８Ａは図２に示すように通常のリフト特性で開閉動作するので、吸入空気量が過度に制限されて内燃機関１の出力が不足することも抑制可能である。
【００５０】
本実施例における燃料噴射制御及び可変動弁制御の詳細について、図３を基づいて説明する。図３は、本実施例の燃料噴射制御及び可変動弁制御の処理内容を表すフローチャートである。図３のフローチャートで表される処理は、内燃機関１の動作中、ＥＣＵ１０によって繰り返し実行される。
【００５１】
図３のフローチャートの処理が開始されると、まずステップＳ１０１において、ＥＣＵ１０は、吸気温センサ１３により取得した吸気温度Ｔａが所定の閾値Ｔａ０より低いか否かを判定する。このステップは、吸気弁８Ａ、８Ｂに噴射燃料が付着した場合に当該燃料が良好に蒸発可能であるか否かを判定するためのステップである。この吸気温度の閾値Ｔａ０は、吸気弁８Ａ、８Ｂに付着した燃料が良好に蒸発可能な温度条件を燃焼室１２内に現出させることが可能な吸気温度の下限値に基づいて定める基準値であり、予め実験や計算等により求める。
【００５２】
吸気温度Ｔａが閾値Ｔａ０より低くない場合（Ｔａ≧Ｔａ０、ステップＳ１０１：Ｎｏ）、噴射燃料が吸気弁８Ａ、８Ｂに衝突してその一部が吸気弁８Ａ、８Ｂに付着したとしても、当該付着した燃料は良好に蒸発して燃焼に関与することになるので、噴射燃料と吸気弁８Ａ、８Ｂとの干渉は排気性能の悪化の原因となる可能性は低い。よって、この場合ＥＣＵ１０は、吸気弁８Ａ及び８Ｂの両方を図２のグラフＡで示されるような通常のリフト特性に設定するべく、可変動弁機構９を制御する処理を行う（ステップＳ１０６）。
【００５３】
一方、吸気温度Ｔａが閾値Ｔａ０より低い場合（Ｔａ＜Ｔａ０、ステップＳ１０１：Ｙｅｓ）、噴射燃料が吸気弁８Ａ、８Ｂに衝突してその一部が吸気弁８Ａ、８Ｂに付着すると、上述したような排気性能の悪化の原因となる虞がある。よって、この場合ＥＣＵ１０は、吸気弁を低リフト特性に設定して噴射燃料と吸気弁との干渉を回避させる処理を行う
（ステップＳ１０２以降）。
【００５４】
ステップＳ１０２において、ＥＣＵ１０は、内燃機関１の要求負荷Ｌが所定の閾値Ｌ０より高いか否かを判定する。このステップは、吸気弁８Ａ及び８Ｂの両方を低リフト特性に設定することが可能か否かを判定するためのステップである。この要求負荷の閾値Ｌ０は、吸気弁８Ａ及び８Ｂの両方を低リフト特性に設定した場合においても、要求負荷に対して不足しない吸入空気量を確保することが可能であるような要求負荷の上限値に基づいて定める基準値であり、予め実験や計算等により求める。
【００５５】
要求負荷Ｌが閾値Ｌ０より高い場合（Ｌ＞Ｌ０、ステップＳ１０２：Ｙｅｓ）、吸気弁８Ａ及び８Ｂの両方を低リフト特性に設定すると、要求負荷に対して十分な吸入空気量を確保することが困難と判断できるので、吸気弁８Ｂのみを低リフト特性に設定するべく、可変動弁機構９を制御する処理を行う（ステップＳ１０３）。
【００５６】
ステップＳ１０３において、ＥＣＵ１０は、吸気弁８Ａを通常のリフト特性に設定し、吸気弁８Ｂを低リフト特性に設定した場合に、要求負荷に対して不足しない吸入空気量を確保することができるような低リフト特性を算出する。そして、吸気弁８Ｂのリフト特性を当該算出した低リフト特性に設定するべく、可変動弁機構９を制御する。
【００５７】
更に、続くステップＳ１０４において、ＥＣＵ１０は、低リフト特性に設定された吸気弁８Ｂと噴射燃料とが干渉することなく燃料噴射を実行することができるような燃料噴射開始時期を算出する。本ステップＳ１０４における燃料噴射開始時期の算出について、図４に基づいて説明する。
【００５８】
図４は、吸気弁８Ａ及び８Ｂのリフト特性を示した図である。グラフＡは吸気弁８Ａに設定される通常のリフト特性を表し、グラフＢはステップＳ１０３において吸気弁８Ｂに設定された低リフト特性を表す。破線の直線は噴射燃料と吸気弁８Ａ、８Ｂとが干渉しないリフト量の上限値ｈ０を示す。吸気弁８Ａ、８Ｂのリフト量がこの上限値ｈ０以下の時には、噴射燃料は吸気弁８Ａ、８Ｂに衝突しない。
【００５９】
ステップＳ１０４では、ステップＳ１０３で算出した低リフト特性Ｂに基づいて、当該低リフト特性Ｂに設定される吸気弁の開弁期間後期ΔＴＢの時期であって、当該低リフト特性Ｂに設定される吸気弁のリフト量が前記上限値ｈ０以下となる時期以降の時期を、燃料噴射開始時期θＦＳに設定する。なお、吸気弁の「開弁期間後期」とは、吸気弁が開弁開始してから閉弁するまでの開弁期間のうち、リフト量がピークになって以降の、閉弁に向かってリフト量が減少していく期間を指す。図４では、低リフト特性Ｂに設定される吸気弁のリフト量が前記上限値ｈ０に等しくなる時期を燃料噴射開始時期θＦＳに設定した例を示している。
【００６０】
このようにして設定された燃料噴射開始時期θＦＳにおいて燃料噴射が開始されることにより、図４に示すように、燃料噴射期間ΔＴＦの全域に亘って、低リフト特性Ｂに設定された吸気弁８Ｂのリフト量は、噴射燃料と干渉しないリフト量となる。よって、低リフト特性Ｂに設定された吸気弁８Ｂに噴射燃料が衝突することを抑制することが可能となる。これにより、内燃機関１の冷機条件の成立下にあっても、噴射燃料と吸気弁８Ｂとの干渉に起因する排気性能の悪化を好適に抑制することが可能となる。
【００６１】
また、２つの吸気弁８Ａ及び８Ｂのうち一方の吸気弁８Ａは通常のリフト特性に設定されるので、内燃機関１の高負荷運転条件の成立下にあっても、要求負荷に対して内燃機関１の出力が不足することを抑制することも可能となる。従って、ステップＳ１０３及び１０４を実行することにより、内燃機関１が出力不足となることを抑制しつつ、噴射燃料と
吸気弁との干渉に起因する排気性能の悪化を抑制することが可能となる。
【００６２】
要求負荷Ｌが閾値Ｌ０より高くない場合（Ｌ≦Ｌ０、ステップＳ１０２：Ｎｏ）、吸気弁８Ａ及び８Ｂの両方を低リフト特性に設定しても要求負荷に対して十分な吸入空気量を確保することができると判断できるので、吸気弁８Ａ及び８Ｂの両方を低リフト特性に設定するべく、可変動弁機構９を制御する処理を行う（ステップＳ１０５）。なお、この時の低リフト特性は、要求負荷に基づいて算出される燃料噴射量及び燃料噴射開始時期に基づいて、当該燃料噴射開始時期以降における吸気弁８Ａ及び８Ｂのリフト量が上述した噴射燃料と吸気弁とが干渉しないリフト量の上限値ｈ０以下となるようなリフト特性として算出することができる。或いは、要求負荷Ｌが閾値Ｌ０より高い場合に実行されるステップＳ１０４と同様に、まず、吸気弁８Ａ及び８Ｂの両方を低リフト特性に設定した場合に要求負荷に対して不足しない吸入空気量を確保することが可能な低リフト特性を算出し、当該算出した低リフト特性に基づいて、当該低リフト特性における開弁期間後期の時期であって、リフト量が前記上限値ｈ０以下となる時期以降の時期を、燃料噴射開始時期に設定しても良い。
【００６３】
吸気弁８Ａ及び８Ｂの両方が低リフト特性に設定されることにより、吸気弁８Ａ及び８Ｂの両方について噴射燃料との干渉を回避できるので、冷機条件下においても、噴射燃料と吸気弁８Ａ、８Ｂが干渉することに起因する排気性能の悪化を好適に抑制できる。
【００６４】
本実施例においては、ステップＳ１０１〜１０４の処理を実行するＥＣＵ１０が、本発明における制御手段に相当する。
【実施例２】
【００６５】
次に、燃料としてエタノール含有燃料を使用する筒内直噴火花点火式内燃機関に本発明を適用した実施例について説明する。
【００６６】
図５は、本実施例に係る内燃機関の概略構成を模式的に示す図である。
【００６７】
図５に示す内燃機関１’は、燃料としてエタノール含有燃料を使用する点以外は、実施例１で説明した筒内直噴火花点火式ガソリンエンジンの構成と略同一であるので、実施例１と同一の符号及び名称を用いて詳細な説明を省略する。実施例１で説明した内燃機関１との相違する点として、更に、本実施例の内燃機関１’は、エタノール含有燃料のエタノール濃度を測定する濃度センサ１４を備えている。濃度センサ１４による測定データは電気配線を介してＥＣＵ１０に提供される。
【００６８】
エタノール含有燃料を使用するエンジンでは、通常のガソリンエンジンと比較して、理論空燃比が小さく、また気化しにくいため、ガソリンエンジンよりも長い燃料噴射期間を確保する必要がある。図６は、等しい要求負荷に対応するエタノール含有燃料を使用するエンジンの燃料噴射期間とガソリンエンジンの燃料噴射期間とを比較のために例示した図である。図６に示すように、ガソリンの噴射期間ΔＴＦＧと比較して、エタノール含有燃料の噴射期間ΔＴＦＡは長い。図６に示す「噴射終了限界時期θＦＥ０」は、排気性能の悪化をもたらさないような燃料噴射終了時期の限界値である。燃料噴射終了時期が過度に遅い時期になると排気性能が悪化する原因となるので、本実施例では、燃料噴射終了時期θＦＥがこの噴射終了限界時期θＦＥ０よりも遅くならないように燃料噴射開始時期θＦＳを設定することを前提とする。
【００６９】
このように燃料噴射終了時期θＦＥについての拘束条件を満たし、且つエタノール含有燃料の長い燃料噴射期間を確保するためには、図６に示すように、エタノール含有燃料の燃料噴射開始時期θＦＳＡを吸気行程のかなり早い時期に設定する必要がある。そして、
エタノール含有燃料のエタノール濃度が高いほど、必要な燃料噴射期間は長くなる傾向がある。そのため、実施例１で説明したように、要求負荷に対して不足しない吸入空気量を確保可能な低リフト特性を算出し、当該低リフト特性に基づいて算出した燃料噴射開始時期では、エタノール濃度によっては、噴射終了限界時期θＦＥ０までに燃料噴射を終了させることが困難な場合がある。
【００７０】
そこで、本実施例は、内燃機関１’の冷機時に２つの吸気弁８Ａ及び８Ｂのうち一方の吸気弁８Ｂのみを低リフト特性に設定することにより噴射燃料と吸気弁８Ｂとの干渉を回避する点は実施例１と同様だが、その場合の吸気弁８Ｂに設定する低リフト特性の算出を、本実施例では、噴射終了限界時期θＦＥ０までにエタノール含有燃料の燃料噴射を終了させることが可能なように算出する燃料噴射開始時期に基づいて行うようにした。
【００７１】
これにより、エタノール含有燃料を使用する内燃機関１’において、噴射終了限界時期までに燃料噴射を終了させるという燃料噴射制御の前提条件を満たしつつ、噴射燃料と吸気弁との干渉に起因する排気性能の悪化を抑制することが可能となる。
【００７２】
本実施例における燃料噴射制御及び可変動弁制御の詳細について、図７に基づいて説明する。図７は、本実施例の燃料噴射制御及び可変動弁制御の処理内容を表すフローチャートである。図７のフローチャートで表される処理は、内燃機関１’の動作中、ＥＣＵ１０によって繰り返し実行される。
【００７３】
図７のフローチャートの処理が開始されると、まずステップＳ２０１において、ＥＣＵ１０は、吸気温センサ１３により取得した吸気温度Ｔａが所定の閾値Ｔａ０’より低いか否かを判定する。このステップは、吸気弁８Ａ、８Ｂにエタノール含有燃料が付着した場合に当該エタノール含有燃料が良好に蒸発可能であるか否かを判定するためのステップである。この吸気温度の閾値Ｔａ０’は、吸気弁８Ａ、８Ｂに付着したエタノール含有燃料が良好に蒸発可能な温度条件を燃焼室１２内に現出させることが可能な吸気温度の下限値に基づいて定める基準値であり、予め実験や計算などにより求める。本ステップＳ２０１の処理は、実施例１において図３で示したガソリンエンジンの場合のフローチャートのステップＳ１０１の処理に相当する。
【００７４】
吸気温度Ｔａが閾値Ｔａ０’より低くない場合（Ｔａ≧Ｔａ０’、ステップＳ２０１：Ｎｏ）、噴射されたエタノール含有燃料が吸気弁８Ａ、８Ｂに衝突してその一部が吸気弁８Ａ、８Ｂに付着したとしても、当該付着したエタノール含有燃料は良好に蒸発して燃焼に関与することになるので、エタノール含有燃料の噴射と吸気弁８Ａ、８Ｂとの干渉は排気性能の悪化の原因となる可能性は低い。よって、この場合ＥＣＵ１０は、吸気弁８Ａ及び８Ｂの両方を図２のグラフＡで示されるような通常のリフト特性に設定するべく、可変動弁機構９を制御する処理を行う（ステップＳ２０７）。ステップＳ２０７の処理は、実施例１において図３で示したガソリンエンジンの場合のフローチャートのステップＳ１０６の処理に相当する。
【００７５】
一方、吸気温度Ｔａが閾値Ｔａ０’より低い場合（Ｔａ＜Ｔａ０’、ステップＳ２０１：Ｙｅｓ）、噴射されたエタノール含有燃料が吸気弁８Ａ、８Ｂに衝突してその一部が吸気弁８Ａ、８Ｂに付着すると、上述したような排気性能の悪化の原因となる虞がある。よって、この場合ＥＣＵ１０は、吸気弁を低リフト特性に設定して噴射燃料と吸気弁との干渉を回避させる処理を行う（ステップＳ２０２以降）。
【００７６】
ステップＳ２０２において、ＥＣＵ１０は、濃度センサ１４により取得したエタノール含有燃料のエタノール濃度Ｄが所定の閾値Ｄ０より高いか否かを判定する。このステップは、実施例１で説明した方法で算出した燃料噴射開始時期においてエタノール含有燃料の
噴射を開始した場合に、上述した噴射終了限界時期θＦＥ０までに燃料噴射を終了することが可能か否かを判定するためのステップである。このエタノール濃度の閾値Ｄ０は、実施例１で説明した方法によって、噴射終了限界時期θＦＥ０までにエタノール含有燃料の噴射を終了させることが可能な最も遅い燃料噴射開始時期以前の時期に燃料噴射開始時期を設定可能であるようなエタノール濃度の上限値に基づいて定める基準値であり、予め実験や計算等により求める。
【００７７】
エタノール濃度Ｄが閾値Ｄ０より高い場合（Ｄ＞Ｄ０、ステップＳ２０２：Ｙｅｓ）、実施例１で説明した方法によって設定可能な最も早い燃料噴射開始時期に燃料噴射を開始しても、噴射終了限界時期までにエタノール含有燃料の噴射を終了させることは困難と判断できるので、本実施例で説明した方法によって燃料噴射開始時期の算出及び低リフト特性の算出を行う（ステップＳ２０３〜２０５）。
【００７８】
ステップＳ２０３〜２０５における燃料噴射開始時期及び低リフト特性の算出について、図８に基づいて説明する。
【００７９】
図８は、吸気弁８Ａ及び８Ｂのリフト特性を示した図である。グラフＡは吸気弁８Ａに設定される通常のリフト特性を表し、グラフＢは後述するステップＳ２０５において吸気弁８Ｂに設定される低リフト特性を表す。破線の直線は噴射燃料と吸気弁８Ａ、８Ｂとが干渉しないリフト量の上限値ｈ０を示す。吸気弁８Ａ、８Ｂのリフト量がこの上限値ｈ０以下の時には、噴射燃料は吸気弁８Ａ、８Ｂに衝突しない。
【００８０】
ステップＳ２０３において、ＥＣＵ１０は、エタノール含有燃料の燃料噴射期間ΔＴＦＡを算出する。これは要求負荷や濃度センサ１４により取得されるエタノール濃度に基づいて算出する。
【００８１】
続くステップＳ２０４において、ＥＣＵ１０は、エタノール含有燃料の燃料噴射開始時期θＦＳＡを算出する。ここでは、燃料噴射終了時期が噴射終了限界時期θＦＥ０より遅くならないという条件を満足する最も遅い燃料噴射開始時期を、エタノール含有燃料の燃料噴射開始時期θＦＳＡとして算出する。すなわち、噴射終了限界時期θＦＥ０から、ステップＳ２０３で算出した燃料噴射期間ΔＴＦＡだけさかのぼった時期を燃料噴射開始時期θＦＳＡに設定する。
【００８２】
続くステップＳ２０５において、ＥＣＵ１０は、ステップＳ２０４で算出した燃料噴射開始時期θＦＳＡにおけるリフト量が前記上限値ｈ０となるようなリフト特性を算出し、これを吸気弁８Ｂと噴射燃料との干渉を回避するべく吸気弁８Ｂに設定するための低リフト特性とする。そして、吸気弁８Ｂを当該算出した低リフト特性に設定するべく、可変動弁機構９を制御する。なお、図８に示すように、開弁期間後期においてリフト量が上限値ｈ０となる時期に燃料噴射開始時期θＦＳＡが設定されるような低リフト特性に設定する。
【００８３】
このようにして設定された低リフト特性によって吸気弁８Ｂが開閉動作を行うことにより、図８に示すように、燃料噴射期間ΔＴＦＡの全域に亘って、低リフト特性Ｂに設定された吸気弁８Ｂのリフト量は、噴射燃料と干渉しないリフト量となる。よって、低リフト特性Ｂに設定された吸気弁８Ｂに噴射燃料が衝突することを抑制することが可能となる。これにより、内燃機関１’の冷機条件の成立下にあっても、噴射燃料と吸気弁８Ｂとの干渉に起因する排気性能の悪化を好適に抑制することが可能となる。
【００８４】
また、燃料噴射開始時期θＦＳＡにおいてエタノール含有燃料の噴射が開始されることにより、噴射終了限界時期θＦＥ０までにエタノール含有燃料の噴射を終了させることが
できるので、燃料噴射終了時期が過度に遅くなることに起因する排気性能の悪化が生じることを抑制することも可能となる。
【００８５】
なお、上記のように算出される低リフト特性は、実施例１の方法で算出した低リフト特性よりもリフト量の低いリフト特性となる場合が考えられるが、エタノールが燃焼室１２内で蒸発する際の潜熱の効果により吸入空気量を補うことができるので、吸入空気量の不足に起因して内燃機関１’が出力不足となることは抑制可能である。
【００８６】
エタノール濃度Ｄが閾値Ｄ０より高くない場合（Ｄ≦Ｄ０、ステップＳ２０２：Ｎｏ）、噴射終了限界時期θＦＥ０までにエタノール含有燃料の噴射を終了させることが可能な燃料噴射開始時期を、実施例１で説明した方法によって算出することができると判断できるので、ＥＣＵ１０は、実施例１で説明した方法によって低リフト特性及び燃料噴射開始時期の算出を行う（ステップＳ２０６）。すなわち、エタノール含有燃料を使用する内燃機関においても、エタノール濃度がそれほど高くない場合には、吸気弁８Ｂのみを低リフト特性に設定した場合に、要求負荷に対して不足しない吸入空気量を確保することができるようなリフト特性として低リフト特性を算出し、当該低リフト特性の開弁期間後期の時期であって、リフト量が前記上限値ｈ０以下となる時期以降の時期に、燃料噴射開始時期を設定する。これにより、実施例１で説明したのと同様に、排気性能の悪化を抑制する効果を得ることが可能である。
【００８７】
本実施例においては、ステップＳ２０１〜２０５の処理を実行するＥＣＵ１０が、本発明における制御手段に相当する。
【００８８】
なお、以上述べた実施例は本発明を説明するための一例であって、本発明の本旨を逸脱しない範囲内において上記の実施例には種々の変更を加え得る。例えば、上記実施例１では、可変動弁機構９は吸気弁８Ａ及び８Ｂの両方のリフト特性を変更可能であり、要求負荷が閾値より高くない場合には吸気弁８Ａ及び８Ｂの両方を低リフト特性に設定する旨の説明をしたが、本発明を実施するためには、少なくとも一方の吸気弁のリフト特性のみを低リフト特性に設定可能な可変動弁機構であれば十分である。そのような可変動弁機構を備えた構成では、図３のステップＳ１０２において否定判定された場合にも、ステップＳ１０３及び１０４と同様の処理を行うようにすれば良い。
【符号の説明】
【００８９】
１     内燃機関
１’   内燃機関
２     気筒
３     ピストン
４     吸気ポート
５     排気ポート
６     燃料噴射弁
７     点火プラグ
８Ａ   吸気弁
８Ｂ   吸気弁
９     可変動弁機構
１０   ＥＣＵ
１１   噴射燃料
１２   燃焼室
１３   吸気温センサ
１４   濃度センサ
【図１】
2010180724.tif 000003
【図２】
2010180724.tif 000004
【図３】
2010180724.tif 000005
【図４】
2010180724.tif 000006
【図５】
2010180724.tif 000007
【図６】
2010180724.tif 000008
【図７】
2010180724.tif 000009
【図８】
2010180724.tif 000010